(57)【要約】【課題】無線通信システムにおいてターゲットセル情報を送信する方法及び装置を提供すること。【解決手段】ｅＮＢは、Ｘ２設定要求メッセージ又はｅＮＢ構成更新メッセージを介してＸ２ゲートウェイにターゲットセル情報を送信する。ターゲットセル情報は、ターゲットｅＮＢ  ＩＤ（、ターゲットセルＩＤ、又はターゲット無線ネットワーク層ＩＤのうち、少なくとも一つを含むことができる。【選択図】図９
2015524232.tif 000002
【特許請求の範囲】
【請求項１】
無線通信システムにおいて、第１のｅノードＢ（ｅＮＢ）がターゲットセル情報を送信する方法であって、
ターゲットセル情報を含むＸ２設定要求メッセージをＸ２ゲートウェイに送信するステップと、
第２のｅＮＢに関する情報を隣接セル情報として含むＸ２設定応答メッセージを前記Ｘ２−ＧＷから受信するステップと、
を有する、方法。
【請求項２】
前記ターゲットセル情報は、ターゲットｅＮＢ  ＩＤ、ターゲットセルＩＤ、又はターゲット無線ネットワーク層ＩＤのうち、少なくとも一つを含む、請求項１に記載の方法。
【請求項３】
前記Ｘ２−ＧＷの伝送ネットワーク層アドレスを取得するステップを更に有する、請求項１に記載の方法。
【請求項４】
前記取得したＸ２−ＧＷのＴＮＬアドレスを使用して、前記Ｘ２−ＧＷに向かってストリーム制御伝送プロトコル接続設定を初期化するステップを更に有する、請求項３に記載の方法。
【請求項５】
前記第１のｅＮＢは、マクロｅＮＢであり、
前記第２のｅＮＢは、ホームｅＮＢ（ＨｅＮＢ）である、請求項１に記載の方法。
【請求項６】
前記第１のｅＮＢは、ホームｅＮＢ（ＨｅＮＢ）であり、
前記第２のｅＮＢは、マクロｅＮＢである、請求項１に記載の方法。
【請求項７】
無線通信システムにおいて、Ｘ２ゲートウェイがメッセージを送信する方法であって、
ターゲットセル情報を含むＸ２設定要求メッセージを第１のｅノードＢ（ｅＮＢ）から受信するステップと、
第２のｅＮＢに関する情報を隣接セル情報として含むＸ２設定応答メッセージを、前記第１のｅＮＢに送信するステップと、
を有する方法。
【請求項８】
前記ターゲットセル情報は、ターゲットｅＮＢ  ＩＤ、ターゲットセルＩＤ、又はターゲット無線ネットワーク層ＩＤのうち、少なくとも一つを含む、請求項７に記載の方法。
【請求項９】
前記Ｘ２−ＧＷと前記第２のｅＮＢとの間のＸ２インタフェースが既に設定されている場合、前記第１のｅＮＢに関する情報を隣接セル情報として含むｅＮＢ構成更新メッセージを、前記第２のｅＮＢに送信するステップを更に有する、請求項７に記載の方法。
【請求項１０】
前記Ｘ２−ＧＷと前記第２のｅＮＢとの間のＸ２インタフェースがまだ設定されていない場合、前記第１のｅＮＢに関する情報を隣接セル情報として含むＸ２設定要求メッセージを、前記第２のｅＮＢに伝送するステップを更に有する、請求項７に記載の方法。
【請求項１１】
ターゲットセル情報を含むＸ２設定応答メッセージを前記第２のｅＮＢから受信するステップを更に有する、請求項１０に記載の方法。
【請求項１２】
前記第１のｅＮＢは、マクロｅＮＢであり、
前記第２のｅＮＢは、ホームｅＮＢ（ＨｅＮＢ）である、請求項７に記載の方法。
【請求項１３】
前記第１のｅＮＢは、ホームｅＮＢ（ＨｅＮＢ）であり、
前記第２のｅＮＢは、マクロｅＮＢである、請求項７に記載の方法。
【請求項１４】
無線通信システムにおいて、第１のｅノードＢ（ｅＮＢ）がターゲットセル情報を送信する方法であって、
ターゲットセル情報を含む第１のｅＮＢ構成更新メッセージをＸ２ゲートウェイに送信するステップと、
第２のｅＮＢに関する情報を隣接セル情報として含む第２のｅＮＢ構成更新メッセージを前記Ｘ２−ＧＷから受信するステップと、
を有する方法。
【請求項１５】
前記ターゲットセル情報は、ターゲットｅＮＢ  ＩＤ、ターゲットセルＩＤ、又はターゲット無線ネットワーク層ＩＤのうち、少なくとも一つを含む、請求項１４に記載の方法。
【発明の詳細な説明】
【技術分野】
【０００１】
本発明は、無線通信に関し、より詳細には、無線通信システムにおいてストリーム制御伝送プロトコル（ｓｔｒｅａｍ  ｃｏｎｔｒｏｌ  ｔｒａｎｓｍｉｓｓｉｏｎ  ｐｒｏｔｏｃｏｌ、ＳＣＴＰ）及びＸ２インタフェースを設定する方法及び装置に関する。
【背景技術】
【０００２】
はん用移動体通信システム（ＵＭＴＳ）は、ヨーロッパシステム、ＧＳＭ（登録商標）、及び一般パケット無線サービス（ＧＰＲＳ）を基盤としてＷＣＭＤＡ（登録商標）で動作する第３世代非同期移動体通信システムである。ＵＭＴＳの長期進化システム（ＬＴＥ）がＵＭＴＳを標準化する第３世代パートナーシッププロジェクト（３ＧＰＰ）によって議論中である。
【０００３】
３ＧＰＰ  ＬＴＥは、高速パケット通信を可能にする技術である。使用者及び供給者の費用減少、サービス品質向上、並びにカバレッジ及びシステム容量の拡張及び向上を含むＬＴＥの目的のために、多くの方式が提案されてきた。３ＧＰＰ  ＬＴＥは、上位レベルの要求条件として、ビット当たり費用の減少、サービス可用性の増加、柔軟な周波数の使用、単純な構造、オープンインタフェース及び端末の適切な電力消費を要求する。
【０００４】
図１は、進化ＵＭＴＳ（Ｅ−ＵＭＴＳ）のネットワーク構造を示す。Ｅ−ＵＭＴＳは、ＬＴＥシステムであるといえる。通信ネットワークは、ＩＰマルチメディアサブシステム（ＩＭＳ）を介してのＩＰ電話（ＶｏＩＰ）及びパケットデータのような様々な通信サービスを提供するために広範に配置される。
【０００５】
図１に示すように、Ｅ−ＵＭＴＳネットワークは、進化はん用地上無線接続（Ｅ−ＵＴＲＡＮ）、進化パケットコア（ＥＰＣ）、及び一つ以上の端末（ｕｓｅｒ  ｅｑｕｉｐｍｅｎｔ、ＵＥ）を含む。Ｅ−ＵＴＲＡＮは、一つ以上の進化ノードＢ（ｅｖｏｌｖｅｄ  ＮｏｄｅＢ、ｅＮＢ２０）を含むことができ、複数のＵＥ１０は、一つのセル内に位置することができる。一つ以上の移動性管理エンティティ（ＭＭＥ）／システムアーキテクチャ進化（ＳＡＥ）ゲートウェイ（Ｓ−ＧＷ）３０がネットワークの最後に位置して、外部ネットワークと接続することができる。
【０００６】
以下、「下りリンク」は、ｅＮＢ２０からＵＥ１０への通信を、「上りリンク」は、ＵＥ１０からｅＮＢ２０への通信を表す。ＵＥ１０は、使用者が持ち運ぶ通信装置を表す。ＵＥは、さらに、移動機（ＭＳ）、利用者端末（ＵＴ）、加入者局（ＳＳ）、又は無線装置などと呼ばれることがある。
【０００７】
ｅＮＢ２０は、ＵＥ１０に使用者平面（ｕｓｅｒ  ｐｌａｎｅ）と制御平面（ｃｏｎｔｒｏｌ  ｐｌａｎｅ）の終端点（ｅｎｄ  ｐｏｉｎｔ）を提供する。ＭＭＥ／Ｓ−ＧＷ３０は、ＵＥ１０のためのセッションの終端点と移動性管理機能とを提供する。ｅＮＢ２０とＭＭＥ／Ｓ−ＧＷ３０とは、Ｓ１インタフェースを介して接続することができる。
【０００８】
ｅＮＢ２０は、一般的にＵＥ１０と通信する固定されたステーションであり、基地局（ＢＳ）又は接続ポイント（ａｃｃｅｓｓ  ｐｏｉｎｔ）と呼ばれることがある。一つのｅＮＢ２０は、セル別に配置することができる。使用者情報（トラヒック）又は制御情報を伝送するためのインタフェースがｅＮＢ２０等間に使用され得る。
【０００９】
ＭＭＥは様々な機能を提供する。ＭＭＥが提供する様々な機能は、ｅＮＢ２０等への非接続層（ｎｏｎ−ａｃｃｅｓｓ  ｓｔｒａｔｕｍ、ＮＡＳ）信号通知、ＮＡＳ信号通知セキュリティ、ＡＳセキュリティ制御、３ＧＰＰ接続ネットワーク等間の移動性のためのコア網（ＣＮ）間ノード信号通知、アイドルモードＵＥ到達可能性（ｒｅａｃｈａｂｉｌｉｔｙ、呼出し再送信の制御及び実行を含む）、（アイドルモード及び活性モードのＵＥのための）位置登録エリア（ｔｒａｃｋｉｎｇ  ａｒｅａ、ＴＡ）リスト管理、パケットデータネットワーク（ＰＤＮ）ＧＷ、及びサービス提供ＧＷ選択、ＭＭＥが変更されるハンドオーバのためのＭＭＥ選択、２Ｇ又は３Ｇ  ３ＧＰＰ接続ネットワーク等へのハンドオーバのためのサービス提供ＧＰＲＳサポートノード（ＳＧＳＮ）選択、ローミング、認証、専用ベアラ（ｄｅｄｉｃａｔｅｄ  ｂｅａｒｅｒ）設定を含むベアラ管理機能、地震津波警報システム（ＥＴＷＳ）、及び商用移動体警報システム（ＣＭＡＳ）を含む公共警報システム（ＰＷＳ）メッセージ伝送のサポートなどを含む。Ｓ−ＧＷホストは、使用者別のパケットフィルタ処理（例えば、詳細パケット調査）、合法的な傍聴、ＵＥ  ＩＰアドレス割当、下りリンク（ＤＬ）における伝送レベルパケットマーキング（ｔｒａｎｓｐｏｒｔ  ｌｅｖｅｌ  ｐａｃｋｅｔ  ｍａｒｋｉｎｇ）、上りリンク（ＵＬ）及びＤＬサービスレベル課金、ゲート制御及び等級強制（ｇａｔｉｎｇ  ａｎｄ  ｒａｔｅ  ｅｎｆｏｒｃｅｍｅｎｔ）、接続ポイント名集約最大ビットレート（ＡＰＮ−ａｇｇｒｅｇａｔｅｄ  ｍａｘｉｍｕｍ  ｂｉｔ  ｒａｔｅ、ＡＭＢＲ）を基盤とするＤＬレート強制などの様々な機能を提供する。以下において、より明確にするために、ＭＭＥ／Ｓ−ＧＷ３０は、簡単にゲートウェイと呼ばれることがあるが、ゲートウェイは、ＭＭＥ及びＳ−ＧＷをすべて含むものと理解され得る。
【００１０】
複数のノードがｅＮＢ２０とゲートウェイ３０との間のＳ１インタフェースを介して接続され得る。ｅＮＢ２０等は、Ｘ２インタフェースを介して互いに接続することができる。隣接するｅＮＢ等は、Ｘ２インタフェースを有するメッシュネットワーク構造を有することができる。
【００１１】
図２は、一般的なＥ−ＵＴＲＡＮ及びＥＰＣの構造を示す。
【００１２】
図示されたように、ｅＮＢ２０は、ゲートウェイ３０選択、無線資源制御Ｐ（ＲＲＣ）活性化中のゲートウェイに向かったルーティング、呼出しメッセージのスケジュール及び伝送、同報制御チャネル（ＢＣＣＨ）情報のスケジュール及び伝送、ＵＬ及びＤＬでＵＥ１０等に対する資源の動的割当、ｅＮＢ測定の構成及び提供、無線ベアラ（ＲＢ）制御、無線受付制御（ｒａｄｉｏ  ａｄｍｉｓｓｉｏｎ  ｃｏｎｔｒｏｌ、ＲＡＣ）、及びＬＴＥ＿ＡＣＴＩＶＥ状態で接続移動性制御の機能を行うことができる。前述したように、ＥＰＣにおいてゲートウェイ３０は、呼出し開始（ｏｒｉｇｉｎａｔｉｏｎ）、ＬＴＥ＿ＩＤＬＥ状態管理、使用者平面の暗号化（ｃｉｐｈｅｒｉｎｇ）、ＳＡＥベアラ制御、及びＮＡＳ信号通知の暗号化及び保護を行うことができる。
【００１３】
図３は、Ｅ−ＵＭＴＳのための使用者平面プロトコルスタックと制御平面プロトコルスタックとを示す。
【００１４】
図３（ａ）は、使用者平面プロトコルを示すブロック図であり、図３（ｂ）は、制御平面プロトコルを示すブロック図である。図示されたように、プロトコル階層は、通信システムの技術分野においてよく知られた開放型システム間相互接続（ＯＳＩ）標準モデルの３個の下位階層を基盤として第１のレイヤＬ１、第２のレイヤＬ２、及び第３のレイヤＬ３に区分することができる。
【００１５】
物理階層、すなわち、Ｌ１は、物理チャネルを利用して上位階層に情報伝送サービスを提供する。物理階層は、伝送チャネル（ｔｒａｎｓｐｏｒｔ  ｃｈａｎｎｅｌ）を介して上位レベルに位置した媒体接続制御（ｍｅｄｉｕｍ  ａｃｃｅｓｓ  ｃｏｎｔｒｏｌ、ＭＡＣ）階層と接続される。ＭＡＣ階層と物理階層との間のデータは、伝送チャネルを介して伝達される。別個の物理階層間、すなわち、伝送側の物理階層と受信側の物理階層との間でデータは物理チャネルを介して伝達される。
【００１６】
Ｌ２のＭＡＣ階層は、論理チャネルを介して上位階層である無線リンク制御（ＲＬＣ）階層にサービスを提供する。Ｌ２のＲＬＣ階層は、高信頼データ伝送をサポートする。図３（ａ）及び図３（ｂ）にＲＬＣ階層が図示されているが、ＲＬＣ機能がＭＡＣ階層によって実現され実行されるとき、ＲＬＣ階層は不要なこともある。Ｌ２のパケットデータ融合プロトコル（ＰＤＣＰ）階層は、ＩＰｖ４又はＩＰｖ６などのＩＰパケットを導入して伝送されるデータが相対的に小さい帯域幅を有する無線インタフェース上で効率的に伝送され得るように、不要な制御情報を減らすヘッダ圧縮機能を行う。
【００１７】
Ｌ３の最も低い部分に位置するＲＲＣ階層は、制御平面だけで定義され、ＲＢ等の構成、再構成、及び解除に対して論理チャネル、伝送チャネル、及び物理チャネルを制御する。以下、ＲＢは、ＵＥとＵＴＲＡＮとの間のデータ伝送のためにＬ２によって提供されるサービスを意味する。
【００１８】
図３（ａ）に示すように、ＲＬＣ階層及びＭＡＣ階層（ｅＮＢ２０のネットワーク側で終端）は、スケジュール、自走再送要求（ＡＲＱ）、及びハイブリッドＡＲＱ（ＨＡＲＱ）のような機能を行うことができる。ＰＤＣＰ階層（ｅＮＢ２０のネットワーク側で終端）は、ヘッダ圧縮、完全性保護（ｉｎｔｅｇｒｉｔｙ  ｐｒｏｔｅｃｔｉｏｎ）、及び暗号化のような使用者平面機能を行うことができる。
【００１９】
図３（ｂ）に示すように、ＲＬＣ階層及びＭＡＣ階層（ｅＮＢ２０のネットワーク側で終端）は、制御平面のために同じ機能を行うことができる。図示されたように、ＲＲＣ階層（ｅＮＢ２０のネットワーク側で終端）は、同報、呼出し、ＲＲＣ接続管理、ＲＢ制御、移動性機能及びＵＥ測定報告並びに制御のような機能を行うことができる。ＮＡＳ制御プロトコル（ゲートウェイ３０のＭＭＥのネットワーク側で終端）は、ＳＡＥベアラ管理、認証、ＬＴＥ＿ＩＤＬＥ移動性管理、ＬＴＥ＿ＩＤＬＥでの呼出し開始、及びゲートウェイとＵＥ１０との間の信号通知のためのセキュリティ制御のような機能を行うことができる。
【００２０】
ＲＲＣ状態は、ＲＲＣ＿ＩＤＬＥとＲＲＣ＿ＣＯＮＮＥＣＴＥＤの２個の別個の状態に区分され得る。ＲＲＣ＿ＩＤＬＥ状態で、ＵＥ１０は、ＮＡＳによって構成された不連続受信（ｄｉｓｃｏｎｔｉｎｕｏｕｓ  ｒｅｃｅｐｔｉｏｎ、ＤＲＸ）中に同報されるシステム情報及び呼出し情報を受信することができる。ＴＡでＵＥ１０を唯一に識別する識別子（ＩＤ）がＵＥ１０に割り当てられ得る。ＵＥ１０は、公衆地上移動体ネットワーク（ＰＬＭＮ）選択及びセル再選択を行うことができる。また、ＲＲＣ＿ＩＤＬＥ状態で、ＲＲＣコンテキストは、ｅＮＢに記憶されない。
【００２１】
ＲＲＣ＿ＣＯＮＮＥＣＴＥＤ状態で、ＵＥ１０は、Ｅ−ＵＴＲＡＮにおいてネットワークにデータを伝送するか、ネットワークからデータを受信することを可能にするＥ−ＵＴＲＡＮ  ＲＲＣ接続及びコンテキストを有する。また、ＵＥ１０は、ｅＮＢ２０にチャネル品質情報（ＣＱＩ）及びフィードバック情報を報告することができる。
【００２２】
ＲＲＣ＿ＣＯＮＮＥＣＴＥＤ状態で、Ｅ−ＵＴＲＡＮは、ＵＥ１０が属するセルを知ることができる。したがって、ネットワークは、ＵＥ１０にデータを伝送するか、ＵＥ１０からデータを受信することができる。ネットワークは、ＵＥ１０の移動性（ハンドオーバ及びネットワーク支援セル変更（ｎｅｔｗｏｒｋ  ａｓｓｉｓｔｅｄ  ｃｅｌｌ  ｃｈａｎｇｅ、ＮＡＣＣ）を介してＧＥＲＡＮで無線接続技術間（ｉｎｔｅｒ−ＲＡＴ）セル変更指示を制御することができる。ネットワークは、隣接セルのために、セル測定を行うことができる。
【００２３】
ＲＲＣ＿ＩＤＬＥ状態で、ＵＥ１０は、呼出しＤＲＸ周期を特定する。特に、ＵＥ１０は、特定呼出しＤＲＸ周期ごとの特定呼出し機会（ｐａｇｉｎｇ  ｏｃｃａｓｉｏｎ）で呼出し信号を監視する。
【００２４】
呼出し機会は、呼出し信号が伝送される時間間隔である。ＵＥ１０は、自分の呼出し機会を有する。
【００２５】
呼出しメッセージは、同じＴＡに属するすべてのセル上に伝送される。ＵＥ１０が一つのＴＡから他のＴＡへ移動する場合、ＵＥ１０が自分の位置を更新するために、ネットワークにＴＡ更新メッセージを伝送することができる。
【００２６】
図４は、物理階層の構造の一例を示す。
【００２７】
物理階層は、ＵＥとｅＮＢのＬ１との間の信号通知及びデータを伝達する。図４に示すように、物理チャネルは、無線資源を利用して信号通知及びデータを伝達する。無線資源は、周波数領域で一つ以上の副搬送波を含み、時間領域で一つ以上のシンボルを含む。
【００２８】
一つのサブフレームは、１ｍｓの長さを有し、複数のシンボルを含む。サブフレームの最初のシンボルのような特定シンボル（等）は、物理ダウンリンク制御チャネル（ＰＤＣＣＨ）のために使用され得る。ＰＤＣＣＨは、物理資源ブロック（ＰＲＢ）及び変調符号化方式（ＭＣＳ）のような動的に割り当てられた資源を運ぶ。
【００２９】
伝送チャネルは、Ｌ１とＭＡＣ階層との間の信号通知及びデータを伝達する。物理チャネルは、伝送チャネルにマップされる。
【００３０】
ＤＬ伝送チャネルタイプは、同報チャネル（ＢＣＨ）、下りリンク共有チャネル（ＤＬ−ＳＣＨ）、呼出しチャネル（ＰＣＨ）、及びマルチキャストチャネル（ＭＣＨ）を含む。ＢＣＨは、システム情報を伝送するために使用される。ＤＬ−ＳＣＨは、ＨＡＲＱをサポートする。ＤＬ−ＳＣＨは、変調、符号化及び送信電力を変化させることによって、動的リンク適応をサポートする。ＤＬ−ＳＣＨは、動的／半静的（ｓｅｍｉ−ｓｔａｔｉｃ）資源割当をサポートする。ＤＬ−ＳＣＨは、さらに全体セル内で同報及びビーム形成の使用を可能にすることができる。ＰＣＨは、ＵＥを呼出しするために使用される。ＭＣＨは、マルチキャスト又はブロードキャストサービス伝送のために使用される。
【００３１】
ＵＬ伝送チャネルタイプは、上りリンク共有チャネル（ＵＬ−ＳＣＨ）及びランダム接続チャネル（ＲＡＣＨ）を含む。ＵＬ−ＳＣＨは、ＨＡＲＱをサポートする。ＵＬ−ＳＣＨは、送信電力及び潜在的に変調、符号化を変化させることによって、動的リンク適応をサポートする。ＵＬ−ＳＣＨは、さらにビーム形成の使用を可能にすることができる。ＲＡＣＨは、一般的にセルへの初期接続のために使用される。
【００３２】
ＭＡＣ副層（ｓｕｂｌａｙｅｒ）は、論理チャネル上にデータ伝達サービスを提供する。論理チャネルタイプ等の集合は、ＭＡＣによって提供される別個のデータ伝達サービスのために定義される。各論理チャネルタイプは、伝達される情報のタイプによって定義される。
【００３３】
論理チャネルは、一般的に２個のグループに分類される。２個のグループは、制御平面情報の伝達のための制御チャネルと、使用者平面情報の伝達のための情報チャネルとである。
【００３４】
制御チャネルは、専ら制御平面情報の伝達のために使用される。ＭＡＣによって提供される制御チャネルは、ＢＣＣＨ、呼出し制御チャネル（ＰＣＣＨ）、共通制御チャネル（ＣＣＣＨ）、マルチキャスト制御チャネル（ＭＣＣＨ）、及び専用制御チャネル（ＤＣＣＨ）を含む。ＢＣＣＨは、システム制御情報を同報するためのＤＬチャネルである。ＰＣＣＨは、呼出し情報を伝達するＤＬチャネルであり、ネットワークがＵＥの位置を分からないときに使用される。ＣＣＣＨは、ネットワークとＲＲＣ接続されていないＵＥ等によって使用される。ＭＣＣＨは、マルチメディアブロードキャスト／マルチキャストサービス（ＭＢＭＳ）制御情報をネットワークからＵＥに伝送するために使用される一地点対多地点（ｐｏｉｎｔ−ｔｏ−ｍｕｌｔｉｐｏｉｎｔ）ＤＬチャネルである。ＤＣＣＨは、端末とネットワークとの間の専用（ｄｅｄｉｃａｔｅｄ）制御情報を伝送するＲＲＣ接続を有するＵＥ等によって使用される一地点対多地点双方向（ｂｉ−ｄｉｒｅｃｔｉｏｎａｌ）チャネルである。
【００３５】
情報チャネルは、専ら使用者平面情報の伝達のために使用される。ＭＡＣによって提供される情報チャネルは、専用情報チャネル（ｄｅｄｉｃａｔｅｄ  ｔｒａｆｆｉｃ  ｃｈａｎｎｅｌ、ＤＴＣＨ）及びマルチキャスト情報チャネル（ＭＴＣＨ）を含む。ＤＴＣＨは、使用者情報の伝達のために、一つのＵＥに専用される点対点チャネルである。ＤＴＣＨは、ＤＬとＵＬの両方に存在することができる。ＭＴＣＨは、ネットワークからＵＥに情報データを伝送するための一地点対多地点ＤＬチャネルである。
【００３６】
論理チャネルと伝送チャネルとの間のＵＬ接続は、ＵＬ−ＳＣＨにマップされ得るＤＣＣＨ、ＵＬ−ＳＣＨにマップされ得るＤＴＣＨ、及びＵＬ−ＳＣＨにマップされ得るＣＣＣＨを含む。論理チャネルと伝送チャネルとの間のＤＬ接続は、ＢＣＨ又はＤＬ−ＳＣＨにマップされ得るＢＣＣＨ、ＰＣＨにマップされ得るＰＣＣＨ、ＤＬ−ＳＣＨにマップされ得るＤＣＣＨ、ＤＬ−ＳＣＨにマップされ得るＤＴＣＨ、ＭＣＨにマップされ得るＭＣＣＨ、及びＭＣＨにマップされ得るＭＴＣＨを含む。
【００３７】
ＨｅＮＢ（ｈｏｍｅ  ｅＮＢ）について説明する。これは、３ＧＰＰ  ＴＳ  ３６．３００  Ｖ１０．５．０（２０１１−０９）の４．６節を参照されたい。
【００３８】
Ｅ−ＵＴＲＡＮ構造は、拡張可能な多数のＨｅＮＢをサポートできるように、ＨｅＮＢとＥＰＣとの間のＳ１インタフェースを許すためのＨｅＮＢゲートウェイ（ＨｅＮＢ  ＧＷ）を導入することができる。ＨｅＮＢ  ＧＷは、制御平面（Ｃ−ｐｌａｎｅ）、特に、Ｓ１−ＭＭＥインタフェースのための集線器（ｃｏｎｃｅｎｔｒａｔｏｒ）で動作する。ＨｅＮＢからのＳ１−Ｕインタフェースは、ＨｅＮＢ  ＧＷで終端され得る。又は、ＨｅＮＢとＳ−ＧＷとの間の直接論理使用者平面（Ｕ−ｐｌａｎｅ）接続が使用され得る。
【００３９】
Ｓ１インタフェースは、次のように使用され得る。
・ＨｅＮＢ  ＧＷとコア網との間
・ＨｅＮＢとＨｅＮＢ  ＧＷとの間
・ＨｅＮＢとコア網との間
・ｅＮＢとコア網との間
【００４０】
ＨｅＮＢ  ＧＷは、ＭＭＥにｅＮＢのように見える。ＨｅＮＢ  ＧＷは、ＨｅＮＢにＭＭＥのように見える。ＨｅＮＢとＥＰＣとの間のＳ１インタフェースは、ＨｅＮＢがＥＰＣにＨｅＮＢ  ＧＷを介して接続されたか否かに関係なく、同様である。
【００４１】
ＨｅＮＢ  ＧＷは、ＨｅＮＢ  ＧＷによって提供されるセルへの流入移動（ｉｎｂｏｕｎｄ  ｍｏｂｉｌｉｔｙ）又は流出移動（ｏｕｔｂｏｕｎｄ  ｍｏｂｉｌｉｔｙ）がＭＭＥ間（ｉｎｔｅｒ  ＭＭＥ）ハンドオーバを必要としないようにＥＰＣに接続される。一つのＨｅＮＢは、専ら一つのセルだけを提供する。
【００４２】
ＨｅＮＢによってサポートされる機能は、ｅＮＢによって提供される機能（例外的に、ＮＡＳノード選択機能（ＮＮＳＦ）等を除くことが可能）と同様である。また、ＨｅＮＢとＥＰＣとの間に実行される手順もｅＮＢとＥＰＣとの間に実行される手順（例外的に、ローカルＩＰ接続（ＬＩＰＡ）サポートの場合、Ｓ５手順等を除くことが可能）と同様である。
【００４３】
図５は、ＨｅＮＢ  ＧＷが配置された全体的なＥ−ＵＴＲＡＮ構造を示す。
【００４４】
図５に示すように、Ｅ−ＵＴＲＡＮは、ｅＮＢ５０、ＨｅＮＢ６０、及びＨｅＮＢ  ＧＷ６９を含む。一つ以上のＥ−ＵＴＲＡＮ  ＭＭＥ／Ｓ−ＧＷ５９がネットワークの最後に位置して、外部ネットワークと接続することができる。ｅＮＢ５０等は、Ｘ２インタフェースを介して互いに接続される。ｅＮＢ５０は、Ｓ１インタフェースを介してＭＭＥ／Ｓ−ＧＷ５９と接続される。ＨｅＮＢ  ＧＷ６９は、Ｓ１インタフェースを介してＭＭＥ／Ｓ−ＧＷ６９と接続される。ＨｅＮＢ６０は、Ｓ１インタフェースを介してＨｅＮＢ  ＧＷ６９に接続されるか、Ｓ１インタフェース又はＳ５インタフェースを介してＭＭＥ／Ｓ−ＧＷ５９と接続される。
【００４５】
図５に示すように、ＨｅＮＢ６０等は、Ｘ２インタフェースを介して互いに接続される。どのようなＨｅＮＢ等がハイブリッドモードをサポートするとしても、専ら同じ閉加入者グループ（ＣＳＧ）ＩＤを有するＨｅＮＢ等だけが直接Ｘ２インタフェースを有することができる。特定条件を満たす場合、ハンドオーバが直接Ｘ２インタフェースを介して実行され得る。すなわち、ＨｅＮＢ等の間のＸ２基盤ハンドオーバは、ＭＭＥで接続制御が必要でない場合に許可することができる。例えば、同じＣＳＧ  ＩＤを有する閉鎖／ハイブリッド接続ＨｅＮＢ等の間のハンドオーバであるか、ターゲットＨｅＮＢが開放接続ＨｅＮＢである場合に、ＨｅＮＢ等の間のＸ２基盤ハンドオーバが許可され得る。
【００４６】
また、ＨｅＮＢとマクロｅＮＢとの間のＸ２ハンドオーバのために、ＨｅＮＢとマクロｅＮＢとの間のＸ２インタフェースが議論されてきた。ＨｅＮＢとマクロｅＮＢとの間に直接Ｘ２インタフェース、又は間接Ｘ２インタフェースが設定され得る。
【００４７】
伝送ネットワーク層（ｔｒａｎｓｐｏｒｔ  ｎｅｔｗｏｒｋ  ｌａｙｅｒ、ＴＮＬ）アドレス探索（ａｄｄｒｅｓｓ  ｄｉｓｃｏｖｅｒｙ）について説明する。ｅＮＢが候補ｅＮＢのｅＮＢ  ＩＤを知っているが（例えば、自動隣接セル交渉（ａｕｔｏｍａｔｉｃ  ｎｅｉｇｈｂｏｒ  ｒｅｌａｔｉｏｎ、ＡＮＲ）機能を介して）、ＳＣＴＰ接続のための適したＴＮＬアドレスを知らない場合、ｅＮＢは、ＴＮＬアドレスを決定するために、次のとおりに構成転送（ｃｏｎｆｉｇｕｒａｔｉｏｎ  ｔｒａｎｓｆｅｒ）機能を使用することができる。
【００４８】
・ｅＮＢは、候補ｅＮＢのＴＮＬアドレスを要求するために、ソース及びターゲットｅＮＢ  ＩＤなどの関連情報を含むｅＮＢ構成転送メッセージをＭＭＥに伝送する。
【００４９】
・ＭＭＥは、ターゲットｅＮＢ  ＩＤによって識別される候補ｅＮＢにＭＭＥ構成転送メッセージを伝送することによって、当該要求を中継する。
【００５０】
・候補ｅＮＢは、最初ｅＮＢとのＳＣＴＰ接続のために使用される一つ以上のＴＮＬアドレス及びソースとターゲットｅＮＢ  ＩＤなどの関連情報を含むｅＮＢ構成転送メッセージを伝送することによって応答する。
【００５１】
・ＭＭＥは、ターゲットｅＮＢ  ＩＤによって識別される最初ｅＮＢにＭＭＥ構成転送メッセージを伝送することによって、候補のｅＮＢの応答を中継する。
【００５２】
ＳＣＴＰ接続及びＸ２インタフェースを設定する方法が問題になることができる。
【発明の概要】
【発明が解決しようとする課題】
【００５３】
本発明の技術的課題は、無線通信システムにおいてストリーム制御伝送プロトコル（ＳＣＴＰ）及びＸ２インタフェースを設定する方法及び装置を提供することにある。本発明は、無線通信システムにおいてターゲットセル情報を伝送する方法を提供する。本発明は、ホームｅノードＢ（ＨｅＮＢ）の移動性向上のためのＸ２設定手順を提供する。
【課題を解決するための手段】
【００５４】
一態様において、無線通信システムにおいて、第１のｅＮＢ（ｅＮｏｄｅＢ）がターゲットセル情報を送信する方法が提供される。方法は、ターゲットセル情報を含むＸ２設定要求メッセージ（Ｘ２  ｓｅｔｕｐ  ｒｅｑｕｅｓｔ  ｍｅｓｓａｇｅ）をＸ２ゲートウェイ（ＧＷ）に送信し、第２のｅＮＢに関する情報を隣接セル情報として含むＸ２設定応答メッセージ（Ｘ２  ｓｅｔｕｐ  ｒｅｓｐｏｎｓｅ  ｍｅｓｓａｇｅ）をＸ２−ＧＷから受信することを含む。
【００５５】
ターゲットセル情報は、ターゲットｅＮＢ  ＩＤ、ターゲットセルＩＤ、又はターゲット無線ネットワーク層（ＲＮＬ）ＩＤのうち、少なくとも一つを含むことができる。
【００５６】
方法は、Ｘ２−ＧＷの伝送ネットワーク層（ＴＮＬ）アドレスを取得することを更に含むことができる。方法は、取得したＸ２−ＧＷのＴＮＬアドレスを使用してＸ２−ＧＷに向かってストリーム制御伝送プロトコル（ＳＣＴＰ）接続設定を初期化することを更に含むことができる。
【００５７】
第１のｅＮＢは、マクロｅＮＢであり、第２のｅＮＢは、ＨｅＮＢ（ｈｏｍｅ  ｅＮＢ）でありうる。
【００５８】
第１のｅＮＢは、ＨｅＮＢであり、第２のｅＮＢは、マクロｅＮＢでありうる。
【００５９】
他の態様において、無線通信システムにおいて、Ｘ２ゲートウェイ（ＧＷ）がメッセージを送信する方法が提供される。方法は、ターゲットセル情報を含むＸ２設定要求メッセージを第１のｅＮＢ（ｅＮｏｄｅＢ）から受信し、第２のｅＮＢに関する情報を隣接セル情報として含むＸ２設定応答メッセージ）を第１のｅＮＢに送信することを含む。
【００６０】
方法は、Ｘ２−ＧＷと第２のｅＮＢとの間のＸ２インタフェースが既に設定されている場合、第１のｅＮＢに関する情報を隣接セル情報として含むｅＮＢ構成更新メッセージ（ｅＮＢ  ｃｏｎｆｉｇｕｒａｔｉｏｎ  ｕｐｄａｔｅ  ｍｅｓｓａｇｅ）を第２のｅＮＢに伝送することを更に含むことができる。
【００６１】
方法は、Ｘ２−ＧＷと第２のｅＮＢとの間のＸ２インタフェースがまだ設定されていない場合、第１のｅＮＢに関する情報を隣接セル情報として含むＸ２設定要求メッセージを、第２のｅＮＢに送信することを更に含むことができる。方法は、ターゲットセル情報を含むＸ２設定応答メッセージを第２のｅＮＢから受信することを更に含むことができる。
【００６２】
他の態様において、無線通信システムにおいて、第１のｅＮＢ（ｅＮｏｄｅＢ）がターゲットセル情報を送信する方法が提供される。方法は、ターゲットセル情報を含む第１のｅＮＢ構成更新メッセージをＸ２ゲートウェイに送信し、第２のｅＮＢに関する情報を隣接セル情報として含む第２のｅＮＢ構成更新メッセージをＸ２−ＧＷから受信することを含む。
【発明の効果】
【００６３】
Ｘ２ゲートウェイ（Ｘ２−ＧＷ）の存在のために発生するＨｅＮＢの移動性向上のためのＸ２接続の問題を解決することができる。
【図面の簡単な説明】
【００６４】
【図１】Ｅ−ＵＭＴＳのネットワーク構造を示す図である。
【図２】一般的なＥ−ＵＴＲＡＮ及びＥＰＣの構造を示す図である。
【図３】Ｅ−ＵＭＴＳのための使用者平面プロトコルスタックと制御平面プロトコルスタックとを示す図である。
【図４】物理層の構造の一例を示す図である。
【図５】ＨｅＮＢ  ＧＷが配置された全体的なＥ−ＵＴＲＡＮ構造を示す図である。
【図６】マクロｅＮＢ（ｅＮｏｄｅＢ）とＨｅＮＢとの間のＸ２インタフェース設定の一例を示す図である。
【図７】本発明の一実施形態が適用され得る第１のシナリオを示す図である。
【図８】第１のシナリオのためのＴＮＬアドレス探索手順の一例を示す図である。
【図９】本発明の一実施形態によって第１のシナリオのためのＳＣＴＰ接続及びＸ２インタフェースを設定する方法の一例を示す図である。
【図１０】本発明の一実施形態によって第１のシナリオのためのＳＣＴＰ接続及びＸ２インタフェース設定手順の一例を示す図である。
【図１１】本発明の一実施形態によって第１のシナリオのためのＳＣＴＰ接続及びＸ２インタフェース設定手順の更に他の例を示す図である。
【図１２】本発明の一実施形態によって第１のシナリオのためのＳＣＴＰ接続及びＸ２インタフェースを設定する方法の更に他の例を示す図である。
【図１３】本発明の一実施形態によって第１のシナリオのためのＳＣＴＰ接続及びＸ２インタフェース設定手順の更に他の例を示す図である。
【図１４】本発明の一実施形態によって第１のシナリオのためのＳＣＴＰ接続及びＸ２インタフェースを設定する方法の更に他の例を示す図である。
【図１５】本発明の一実施形態によって第１のシナリオのためのＳＣＴＰ接続及びＸ２インタフェース設定手順の更に他の例を示す図である。
【図１６】本発明の一実施形態によって第１のシナリオのためのＳＣＴＰ接続及びＸ２インタフェースを設定する方法の更に他の例を示す図である。
【図１７】本発明の一実施形態が適用され得る第２のシナリオを示す図である。
【図１８】本発明の一実施形態によって第２のシナリオのためのＳＣＴＰ接続及びＸ２インタフェースを設定する方法の一例を示す図である。
【図１９】本発明の一実施形態によって第２のシナリオのためのＳＣＴＰ接続及びＸ２インタフェースを設定する方法の更に他の例を示す図である。
【図２０】本発明の一実施形態によって第２のシナリオのためのＳＣＴＰ接続及びＸ２インタフェースを設定する方法の更に他の例を示す図である。
【図２１】本発明の実施形態が実現される無線通信システムのブロック図である。
【発明を実施するための形態】
【００６５】
以下の技術は、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送波周波数分割多元接続（ＳＣ−ＦＤＭＡ）などのような様々な無線通信システムに使用され得る。ＣＤＭＡは、はん用地上無線接続（ＵＴＲＡ）又はＣＤＭＡ２０００のような無線技術で実現され得る。ＴＤＭＡは、ＧＳＭ（登録商標）／一般パケット無線サービス（ＧＰＲＳ）／ＧＳＭ（登録商標）進化用強化データ速度（ＥＤＧＥ）のような無線技術で実現され得る。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、進化ＵＴＲＡ（Ｅ−ＵＴＲＡ）などのような無線技術で実現され得る。ＩＥＥＥ８０２．１６ｍは、ＩＥＥＥ８０２．１６ｅの進化形であり、ＩＥＥＥ８０２．１６ｅに基づいたシステムとの後方互換性を提供する。ＵＴＲＡは、はん用移動体通信システム（ＵＭＴＳ）の一部である。３ＧＰＰ ＬＴＥは、Ｅ−ＵＴＲＡを使用する進化ＵＭＴＳ（Ｅ−ＵＭＴＳ）の一部であって、下りリンクでＯＦＤＭＡを採用し、上りリンクでＳＣ−ＦＤＭＡを採用する。高度ＬＴＥ（ＬＴＥ−Ａ）は、３ＧＰＰ  ＬＴＥの進化形である。
【００６６】
説明を明確にするために、ＬＴＥ−Ａを中心として記述するが、本発明の技術的特徴がこれに制限されるものではない。
【００６７】
図６は、マクロｅＮＢ（ｅＮｏｄｅＢ）とＨｅＮＢとの間のＸ２インタフェース設定の一例を示す。
【００６８】
図６に示すように、Ｅ−ＵＴＲＡＮは、マクロｅＮＢ７０、７１、７２、ＨｅＮＢ８０、８１、８２、８３、ＨｅＮＢゲートウェイ（ＨｅＮＢ  ＧＷ、８９）、及びＸ２−ＧＷ９０を含む。一つ以上のＥ−ＵＴＲＡＮ  ＭＭＥ／Ｓ−ＧＷ７９がネットワークの最後に位置して、外部ネットワークと接続することができる。マクロｅＮＢ７０、７１、７２等は、Ｘ２インタフェースを介して互いに接続される。マクロｅＮＢ７０、７１等は、Ｓ１インタフェースを介してＭＭＥ／Ｓ−ＧＷ７９と接続される。ＨｅＮＢ  ＧＷ８９は、Ｓ１インタフェースを介してＭＭＥ／Ｓ−ＧＷ７９と接続される。ＨｅＮＢ８１、８３等は、Ｓ１インタフェースを介してＨｅＮＢ  ＧＷ８９に接続される。ＨｅＮＢ８２は、Ｓ１インタフェースを介してＭＭＥ／Ｓ−ＧＷ７９と接続される。ＨｅＮＢ８１、８２、８３等は、Ｘ２インタフェースを介して互いに接続される。
【００６９】
Ｘ２−ＧＷ９０が追加的に配置される。Ｘ２−ＧＷ９０は、Ｘ２インタフェースを介してＨｅＮＢ１８１と接続される。しかし、Ｘ２−ＧＷ９０とＨｅＮＢ３（８３）との間の接続はまだ設定されていない状態である。また、マクロｅＮＢ１（７１）とＸ２−ＧＷ９０との間の接続又はマクロｅＮＢ１（７１）とＨｅＮＢ３（８３）との接続もまだ設定されていない状態である。
【００７０】
マクロｅＮＢとＨｅＮＢとの間にＸ２インタフェースが導入され得る。二つの接続が可能であるが、一つは、ＨｅＮＢとマクロｅＮＢとがＸ２−ＧＷを経て間接的に接続されるものであり（図６の経路「Ａ」）、他の一つは、ＨｅＮＢとマクロｅＮＢとがＸ２インタフェースによって直接接続されるものである（図６の経路「Ｂ」）。図６において説明された構造を基盤として、ＨｅＮＢとマクロｅＮＢとの間のＸ２ハンドオーバがより速く実行され得る。図６の経路「Ａ」で、Ｘ２−ＧＷとＨｅＮＢ  ＧＷとは別個のノードでありうる。
【００７１】
図６において、マクロｅＮＢ１とＨｅＮＢ３との間のＸ２インタフェースがまだ設定されていない状態である。すなわち、直接Ｘ２インタフェースが設定されるか、Ｘ２−ＧＷを経る間接Ｘ２インタフェースが設定されるかがまだ決定されていない状態である。一方、Ｘ２−ＧＷの伝送ネットワーク層（ＴＮＬ）アドレスがＨｅＮＢ３又はマクロｅＮＢ１に予め構成され得る。修正されたＴＮＬアドレス探索手順を適用することによって、マクロｅＮＢ１／ＨｅＮＢ３は、Ｘ２−ＧＷ又は対向ノード（ｐｅｅｒ  ｎｏｄｅ）のＴＮＬアドレス（又は、ＩＰ）を得ることができる。しかし、得たＩＰアドレスでストリーム制御伝送プロトコル（ＳＣＴＰ）及びＸ２インタフェースをどのように設定するかを定義する必要がある。
【００７２】
以下、本発明の一実施形態によってターゲットノードの情報を伝送する方法を説明する。本発明の実施形態は、ある対向ノード（マクロｅＮＢ又はＨｅＮＢ）が他のノードを先に発見するかによってＳＣＴＰ接続及びＸ２インタフェースを設定する二つのシナリオを含む。
【００７３】
図７は、本発明の一実施形態が適用され得る第１のシナリオを示す。第１のシナリオにおいて、マクロｅＮＢ１セルに位置するＵＥ１がＨｅＮＢ３を発見し、これをマクロｅＮＢ１に報告する。マクロｅＮＢ１は、ＨｅＮＢ３に向かってＴＮＬアドレス探索手順を初期化する。
【００７４】
マクロｅＮＢ１がＣＳＧをサポートする（開放モード、ハイブリッドモード、又は閉鎖モード）ＨｅＮＢ３に向かってＴＮＬアドレス探索手順を初期化するとき、マクロｅＮＢ１は、対応するＭＭＥに伝送されるｅＮＢ構成転送メッセージ（ｅＮＢ  ｃｏｎｆｉｇｕｒａｔｉｏｎ  ｔｒａｎｓｆｅｒ  ｍｅｓｓａｇｅ）内にマクロｅＮＢ１とＨｅＮＢ３との間、又はマクロｅＮＢ１と対応するＸ２−ＧＷとの間の現実Ｘ２設定（ａｃｔｕａｌ  Ｘ２  ｓｅｔｕｐ）の指示子を含めることができる。すなわち、現実Ｘ２設定の指示子は、直接又は間接Ｘ２インタフェースのうち、いずれのＸ２インタフェースが設定されるかを指示する。マクロｅＮＢ１は、現実Ｘ２設定の指示子を含むｅＮＢ構成転送メッセージをＭＭＥに伝送する。ＭＭＥは、ＭＭＥ構成転送メッセージを介して現実Ｘ２設定の指示子を対応するＨｅＮＢ  ＧＷに転送することができる。ＨｅＮＢ  ＧＷは、ＭＭＥ構成転送メッセージを介して現実Ｘ２設定の指示子を対応するＨｅＮＢに転送することができる。
【００７５】
現実Ｘ２設定の指示子を受信したＨｅＮＢ３は、ＴＮＬアドレス及びソースｅＮＢ  ＩＤを決定する。現実Ｘ２設定の指示子によって、ＴＮＬアドレスは、ＨｅＮＢ３のＴＮＬアドレス又はＸ２−ＧＷのＴＮＬアドレスのうち、いずれか一つでありうる。ソースｅＮＢ  ＩＤも、現実Ｘ２設定の指示子によって、ＨｅＮＢ３のｅＮＢ  ＩＤ又はＸ２−ＧＷのｅＮＢ  ＩＤのうち、いずれか一つでありうる。より詳細に、現実Ｘ２設定の指示子がＸ２−ＧＷとマクロｅＮＢ１との間のＸ２インタフェース設定、すなわち、間接Ｘ２インタフェースを指示するならば、ＨｅＮＢ３は、Ｘ２−ＧＷのＴＮＬアドレスを使用し、ソースｅＮＢ  ＩＤは、ＨｅＮＢ３のｅＮＢ  ＩＤ又はＸ２−ＧＷのｅＮＢ  ＩＤのうち、いずれか一つでありうる。現実Ｘ２設定の指示子が、ＨｅＮＢ３とマクロｅＮＢ１との間のＸ２インタフェース設定、すなわち、直接Ｘ２インタフェースを指示するならば、ＨｅＮＢ３は、ＨｅＮＢ３のＴＮＬアドレス及びｅＮＢ  ＩＤを使用する。ＨｅＮＢ３は、ＴＮＬアドレス及びソースｅＮＢ  ＩＤを含むｅＮＢ構成転送メッセージを使用してＨｅＮＢ  ＧＷ／ＭＭＥに応答することができる。ＴＮＬアドレスをＨｅＮＢ３から受信したマクロｅＮＢ１は、Ｘ２インタフェース設定を初期化することができる。
【００７６】
図８は、第１のシナリオのためのＴＮＬアドレス探索手順の一例を示す。このＴＮＬアドレス探索手順は、専らＸ２−ＧＷを経る間接Ｘ２インタフェースだけが可能なシナリオに対応する。
【００７７】
ステップＳ１００において、マクロｅＮＢ１は、新しい隣接ＨｅＮＢ３を探す。このとき、マクロｅＮＢ１のＩＤは１、マクロｅＮＢ１の位置登録エリア識別情報（ｔｒａｃｋｉｎｇ  ａｒｅａ  ｉｄｅｎｔｉｔｙ、ＴＡＩ）は１であると仮定する。また、ＨｅＮＢ３のＩＤは３、ＨｅＮＢ３のＴＡＩは２であると仮定する。
【００７８】
ステップＳ１１０において、マクロｅＮＢ１は、ＭＭＥにｅＮＢ構成転送メッセージを伝送する。ｅＮＢ構成転送メッセージは、マクロｅＮＢ１／ＨｅＮＢ３のｅＮＢ  ＩＤ、マクロｅＮＢ１／ＨｅＮＢ３のＴＡＩ、及びＳＯＮ（ｓｅｌｆ−ｏｐｔｉｍｉｚｉｎｇ  ｎｅｔｗｏｒｋ）情報要求を含む。ｅＮＢ構成転送メッセージは、現実Ｘ２設定の指示子を更に含むことができる。現実Ｘ２設定の指示子は、マクロｅＮＢ１とＸ２−ＧＷとの間の間接Ｘ２インタフェースが設定されることを指示する。
【００７９】
ステップＳ１２０において、ＭＭＥは、ＨｅＮＢ  ＧＷにＭＭＥ構成転送メッセージを伝送する。ステップＳ１３０において、ＨｅＮＢ  ＧＷは、ＨｅＮＢ３にＭＭＥ構成転送メッセージを伝送する。ＭＭＥ構成転送メッセージは、マクロｅＮＢ１／ＨｅＮＢ３のｅＮＢ  ＩＤ、マクロｅＮＢ１／ＨｅＮＢ３のＴＡＩ及びＳＯＮ情報要求を含む。ＭＭＥ構成転送メッセージは、現実Ｘ２設定の指示子を更に含むことができる。
【００８０】
このとき、ステップＳ１４０において、専ら間接Ｘ２インタフェースだけが設定されるので、ＨｅＮＢ３は、ＴＮＬアドレス及びソースｅＮＢ  ＩＤを決定する必要がない。ＨｅＮＢ３は、Ｘ２−ＧＷのＴＮＬアドレスを使用し、ソースｅＮＢ  ＩＤは、ＨｅＮＢ３のｅＮＢ  ＩＤ又はＸ２−ＧＷのｅＮＢ  ＩＤのうち、いずれか一つでありうる。
【００８１】
ステップＳ１５０において、ＨｅＮＢ３は、ＨｅＮＢ  ＧＷにｅＮＢ構成転送メッセージを伝送する。ｅＮＢ構成転送メッセージは、ＨｅＮＢ３によって決定されたＴＮＬアドレス及びソースｅＮＢ  ＩＤを含む。
【００８２】
ステップＳ１６０において、ＨｅＮＢ  ＧＷは、ＭＭＥにｅＮＢ構成転送メッセージを伝送することによって、ＴＮＬアドレス及びソースｅＮＢ  ＩＤをＭＭＥに転送する。ステップＳ１７０において、ＭＭＥは、マクロｅＮＢ１にＭＭＥ構成転送メッセージを伝送することによって、ＴＮＬアドレス及びソースｅＮＢ  ＩＤをマクロｅＮＢ１に転送する。
【００８３】
図９は、本発明の一実施形態によって第１のシナリオのためのＳＣＴＰ接続及びＸ２インタフェースを設定する方法の一例を示す。図９の実施形態において、マクロｅＮＢ１とＸ２−ＧＷとの間のＳＣＴＰ接続及びＸ２インタフェースはまだ設定されていないと仮定する。
【００８４】
図９に示すように、マクロｅＮＢ１がＸ２−ＧＷのＴＮＬアドレスを取得した後（例えば、図８の実施形態によって）、マクロｅＮＢ１は、取得したＴＮＬアドレスを利用してＸ２−ＧＷに向かってＳＣＴＰ結合設定（ＳＣＴＰ  ａｓｓｏｃｉａｔｉｏｎ  ｓｅｔｕｐ）を初期化することができる。また、マクロｅＮＢ１は、ターゲット（Ｈ）ｅＮＢ  ＩＤ又はターゲットセルＩＤなどのターゲットノードの追加的な指示子によって、Ｘ２−ＧＷに向かってＸ２インタフェース設定を初期化することができる。又は、ターゲットノードの追加的な指示子は、ターゲット無線ネットワーク層（ＲＮＬ）ＩＤでありうる。マクロｅＮＢ１は、Ｘ２−ＧＷにＸ２設定要求メッセージ（Ｘ２  ｓｅｔｕｐ  ｒｅｑｕｅｓｔ  ｍｅｓｓａｇｅ）を伝送することによって、ＳＣＴＰ結合設定及びＸ２インタフェース設定を初期化することができる。
【００８５】
表１は、本発明の一実施形態によるＸ２設定要求メッセージの一例を表す。
【表１】
2015524232.tif 000003
【００８６】
表１に示すように、Ｘ２設定要求メッセージは、サービス提供セル情報だけでなく、ターゲットセル情報を含む。
【００８７】
Ｘ２−ＧＷがマクロｅＮＢ１からＳＣＴＰ結合設定及びＸ２インタフェース設定の初期化を含むＸ２接続設定メッセージを受信すれば、Ｘ２−ＧＷは、マクロｅＮＢ１から受信されるターゲット（Ｈ）ｅＮＢ  ＩＤ、ターゲットセルＩＤ、又はターゲットＲＮＬ  ＩＤなどのターゲットノードの追加的な指示子を介してターゲットノードを識別することができる。
【００８８】
Ｘ２−ＧＷとＨｅＮＢ３との間のＸ２インタフェースが既に設定されているときは、Ｘ２−ＧＷは、ＨｅＮＢ３に関する情報を隣接セル情報として有するＸ２接続応答メッセージをマクロｅＮＢ１に伝送することができる。同時に、Ｘ２−ＧＷは、マクロｅＮＢ１に関する情報を隣接セル情報として有するｅＮＢ構成更新メッセージをＨｅＮＢ３に伝送することができる。このような場合は、下記の図１０において説明されるであろう。
【００８９】
Ｘ２−ＧＷとＨｅＮＢ３との間のＸ２インタフェースがまだ設定されていなければ、Ｘ２−ＧＷは、マクロｅＮＢ１に関する情報を隣接セル情報として有するＸ２接続要求メッセージをＨｅＮＢ３に伝送することができる。ターゲット（Ｈ）ｅＮＢ、すなわち、ＨｅＮＢ３は、Ｘ２−ＧＷにＸ２接続応答メッセージを伝送することができる。Ｘ２接続応答メッセージは、ターゲット（Ｈ）ｅＮＢ  ＩＤ又はターゲットセルＩＤを含むことができる。Ｘ２−ＧＷは、Ｘ２接続応答メッセージに含まれるターゲット（Ｈ）ｅＮＢ  ＩＤ又はターゲットセルＩＤを用いて、又は記憶されたマクロセルＩＤを用いてターゲットセルを識別することができる。このような場合は、下記の図１１において説明されるであろう。
【００９０】
図１０は、本発明の一実施形態によって第１のシナリオのためのＳＣＴＰ接続及びＸ２インタフェース設定手順の一例を示す。図１０において説明される実施形態で、マクロｅＮＢ１とＸ２−ＧＷとの間のＳＣＴＰ接続及びＸ２インタフェースはまだ設定されていないと仮定し、ＨｅＮＢ３とＸ２−ＧＷとの間のＳＣＴＰ接続及びＸ２インタフェース設定は完了したと仮定する。図１０において説明されるＳＣＴＰ接続及びＸ２インタフェース設定手順は、マクロｅＮＢ１がＸ２−ＧＷのＴＮＬアドレスを取得した以後に（例えば、図８の実施形態によって）実行され得る。
【００９１】
ステップＳ２００において、Ｘ２−ＧＷのＴＮＬアドレスがＨｅＮＢ３に予め構成された直後にＳＣＴＰ接続が設定される。ＨｅＮＢ３は、Ｘ２−ＧＷにＸ２接続要求メッセージを伝送し、Ｘ２−ＧＷは、Ｘ２接続要求メッセージに対する応答としてＨｅＮＢ３にＸ２接続応答メッセージを伝送する。
【００９２】
ステップＳ２１０において、マクロｅＮＢ１は、取得したＸ２−ＧＷのＴＮＬアドレスを使用してＳＣＴＰ接続を初期化する。また、ステップＳ２１１において、マクロｅＮＢ１は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。表１において説明されたＸ２接続要求メッセージが使用され得る。
【００９３】
ステップＳ２１２において、ターゲットノードに関する情報を受信したＸ２−ＧＷは、Ｘ２−ＧＷとターゲット（Ｈ）ｅＮＢとの間のＸ２インタフェースが既に設定されていることが分かる。したがって、ステップＳ２１３において、Ｘ２−ＧＷは、ＨｅＮＢ３に関する情報を隣接セル情報として有するＸ２接続応答メッセージをマクロｅＮＢ１に伝送する。ステップＳ２１４において、Ｘ２−ＧＷは、マクロｅＮＢ１に関する情報を隣接セル情報として有するｅＮＢ構成更新メッセージをＨｅＮＢ３に伝送する。
【００９４】
図１１は、本発明の一実施形態によって第１のシナリオのためのＳＣＴＰ接続及びＸ２インタフェース設定手順の更に他の例を示す。図１１において説明される実施形態で、マクロｅＮＢ１とＸ２−ＧＷとの間のＳＣＴＰ接続及びＸ２インタフェースはまだ設定されていないと仮定し、ＨｅＮＢ３とＸ２−ＧＷとの間のＳＣＴＰ接続だけが完了したことと仮定する。図１１において説明されるＳＣＴＰ接続及びＸ２インタフェース設定手順は、マクロｅＮＢ１がＸ２−ＧＷのＴＮＬアドレスを取得した以後に（例えば、図８の実施形態によって）実行され得る。
【００９５】
ステップＳ３００において、Ｘ２−ＧＷのＴＮＬアドレスがＨｅＮＢ３に予め構成された直後にＳＣＴＰ接続が設定される。
【００９６】
ステップＳ３１０において、マクロｅＮＢ１は、取得したＸ２−ＧＷのＴＮＬアドレスを使用してＳＣＴＰ接続を初期化する。また、ステップＳ３１１において、マクロｅＮＢ１は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。表１において説明されたＸ２接続要求メッセージが使用され得る。
【００９７】
ステップＳ３１２において、ターゲットノードに関する情報を受信したＸ２−ＧＷは、ターゲット（Ｈ）ｅＮＢを認知することができる。したがって、ステップＳ３１３において、Ｘ２−ＧＷは、マクロｅＮＢ１に関する情報を隣接セル情報として有するＸ２接続要求メッセージをＨｅＮＢ３に伝送する。ステップＳ３１４において、ＨｅＮＢ３は、ターゲット（Ｈ）ｅＮＢ  ＩＤ又はターゲットセルＩＤを有するＸ２接続応答メッセージをＸ２−ＧＷに伝送する。ＨｅＮＢ３とＸ２−ＧＷとの間のＸ２インタフェースが設定される。
【００９８】
ステップＳ３１５において、ＨｅＮＢ３からターゲット（Ｈ）ｅＮＢ  ＩＤ又はターゲットセルＩＤを受信したＸ２−ＧＷは、受信されたターゲット（Ｈ）ｅＮＢ  ＩＤ又はターゲットセルＩＤを介するか、又は記憶されたマクロｅＮＢ１セルＩＤを介してターゲットセルを識別することができる。ステップＳ３１６において、Ｘ２−ＧＷは、ＨｅＮＢ３に関する情報を隣接セル情報として有するＸ２接続応答メッセージをマクロｅＮＢ１に伝送する。
【００９９】
図１２は、本発明の一実施形態によって第１のシナリオのためのＳＣＴＰ接続及びＸ２インタフェースを設定する方法の更に他の例を示す。図１２の実施形態において、マクロｅＮＢ１とＸ２−ＧＷとの間のＳＣＴＰ接続及びＸ２インタフェースは設定されたと仮定する。
【０１００】
図１２に示すように、マクロｅＮＢ１がＸ２−ＧＷのＴＮＬアドレスを取得した後（例えば、図８の実施形態によって）、マクロｅＮＢ１とＸ２−ＧＷとの間のＸ２インタフェースが設定されたので、マクロｅＮＢ１は、ターゲット（Ｈ）ｅＮＢ  ＩＤ又はターゲットセルＩＤとともにｅＮＢ構成更新メッセージを伝送する。ターゲット（Ｈ）ｅＮＢ  ＩＤ又はターゲットセルＩＤを受信したＸ２−ＧＷは、受信されたターゲット（Ｈ）ｅＮＢ  ＩＤ又はターゲットセルＩＤを基盤としてＨｅＮＢ３に向かってＸ２インタフェース設定を初期化する。Ｘ２−ＧＷは、ＨｅＮＢ３にＸ２接続要求メッセージを伝送し、ＨｅＮＢ３は、Ｘ２接続要求メッセージに対する応答としてＸ２−ＧＷにＸ２接続応答メッセージを伝送する。
【０１０１】
図１３は、本発明の一実施形態によって第１のシナリオのためのＳＣＴＰ接続及びＸ２インタフェース設定手順の更に他の例を示す。図１３において説明される実施形態で、マクロｅＮＢ１とＸ２−ＧＷとの間のＳＣＴＰ接続及びＸ２インタフェースは設定されたと仮定し、ＨｅＮＢ３とＸ２−ＧＷとの間のＳＣＴＰ接続だけが完了したと仮定する。図１３において説明されるＳＣＴＰ接続及びＸ２インタフェース設定手順は、マクロｅＮＢ１がＸ２−ＧＷのＴＮＬアドレスを取得した以後に（例えば、図８の実施形態によって）実行され得る。
【０１０２】
ステップＳ４００において、Ｘ２−ＧＷのＴＮＬアドレスがＨｅＮＢ３に予め構成された直後にＳＣＴＰ接続が設定される。ステップＳ４１０において、マクロｅＮＢ１は、取得したＸ２−ＧＷのＴＮＬアドレスを基盤としてマクロｅＮＢ１とＸ２−ＧＷとの間のＸ２インタフェースが設定されたことが分かる。
【０１０３】
ステップＳ４２０において、マクロｅＮＢ１は、ターゲット（Ｈ）ｅＮＢ  ＩＤ、ターゲットセルＩＤ、又はターゲットＲＮＬ  ＩＤなどのターゲットノードに関する情報とともにｅＮＢ構成更新メッセージを伝送する。
【０１０４】
表２は、本発明の一実施形態によるｅＮＢ構成更新メッセージの一例を表す。
【表２】
2015524232.tif 000004
【０１０５】
表２に示すように、ｅＮＢ構成更新メッセージは、サービス提供セル情報だけでなく、ターゲットセル情報を含む。
【０１０６】
ステップＳ４２１において、ターゲットノードに関する情報を受信したＸ２−ＧＷは、ターゲット（Ｈ）ｅＮＢを認知することができる。したがって、ステップＳ４２２において、Ｘ２−ＧＷは、マクロｅＮＢ１に関する情報を隣接セル情報として有するＸ２接続要求メッセージをＨｅＮＢ３に伝送する。ステップＳ４２３において、ＨｅＮＢ３は、ターゲット（Ｈ）ｅＮＢ  ＩＤ又はターゲットセルＩＤを有するＸ２接続応答メッセージをＸ２−ＧＷに伝送する。ＨｅＮＢ３とＸ２−ＧＷとの間のＸ２インタフェースが設定される。
【０１０７】
ステップＳ４２４において、ＨｅＮＢ３からターゲット（Ｈ）ｅＮＢ  ＩＤ又はターゲットセルＩＤを受信したＸ２−ＧＷは、受信したターゲット（Ｈ）ｅＮＢ  ＩＤ又はターゲットセルＩＤを介するか、又は記憶されたマクロｅＮＢ１セルＩＤを介してターゲットセルを識別することができる。ステップＳ４２５において、Ｘ２−ＧＷは、ＨｅＮＢ３に関する情報を隣接セル情報として有するｅＮＢ構成更新メッセージをマクロｅＮＢ１に伝送する。
【０１０８】
図１４は、本発明の一実施形態によって第１のシナリオのためのＳＣＴＰ接続及びＸ２インタフェースを設定する方法の更に他の例を示す。図１４の実施形態において、マクロｅＮＢ１とＸ２−ＧＷとの間のＳＣＴＰ接続だけが設定されたと仮定する。
【０１０９】
図１４に示すように、マクロｅＮＢ１がＸ２−ＧＷのＴＮＬアドレスを取得した後（例えば、図８の実施形態によって）、マクロｅＮＢ１は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。ターゲット（Ｈ）ｅＮＢ  ＩＤ又はターゲットセルＩＤを受信したＸ２−ＧＷは、受信されたターゲット（Ｈ）ｅＮＢ  ＩＤ又はターゲットセルＩＤを基盤としてＨｅＮＢ３に向かってＸ２インタフェース設定を初期化する。Ｘ２−ＧＷは、ＨｅＮＢ３にＸ２接続要求メッセージを伝送し、ＨｅＮＢ３は、Ｘ２接続要求メッセージに対する応答としてＸ２−ＧＷにＸ２接続応答メッセージを伝送する。Ｘ２接続応答メッセージは、ターゲットに関する情報を含むことができる。
【０１１０】
図１５は、本発明の一実施形態によって第１のシナリオのためのＳＣＴＰ接続及びＸ２インタフェース設定手順の更に他の例を示す。図１５において説明される実施形態で、マクロｅＮＢ１とＸ２−ＧＷとの間のＳＣＴＰ接続だけが設定されたと仮定し、ＨｅＮＢ３とＸ２−ＧＷとの間のＳＣＴＰ接続だけが完了したと仮定する。図１５において説明されるＳＣＴＰ接続及びＸ２インタフェース設定手順は、マクロｅＮＢ１がＸ２−ＧＷのＴＮＬアドレスを取得した以後に（例えば、図８の実施形態によって）実行され得る。
【０１１１】
ステップＳ５００において、Ｘ２−ＧＷのＴＮＬアドレスがＨｅＮＢ３に予め構成された直後にＳＣＴＰ接続が設定される。ステップＳ５１０において、マクロｅＮＢ１は、取得したＸ２−ＧＷのＴＮＬアドレスを基盤としてマクロｅＮＢ１とＸ２−ＧＷとの間のＳＣＴＰ接続だけが設定されたことが分かる。
【０１１２】
ステップＳ５２０において、マクロｅＮＢ１は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。表１において説明されたＸ２接続要求メッセージが使用され得る。
【０１１３】
ステップＳ５２１において、ターゲットノードに関する情報を受信したＸ２−ＧＷは、ターゲット（Ｈ）ｅＮＢを認知することができる。したがって、ステップＳ５２２において、Ｘ２−ＧＷは、マクロｅＮＢ１に関する情報を隣接セル情報として有するＸ２接続要求メッセージをＨｅＮＢ３に伝送する。ステップＳ５２３において、ＨｅＮＢ３は、ターゲット（Ｈ）ｅＮＢ  ＩＤ又はターゲットセルＩＤを有するＸ２接続応答メッセージをＸ２−ＧＷに伝送する。ＨｅＮＢ３とＸ２−ＧＷとの間のＸ２インタフェースが設定される。
【０１１４】
ステップＳ５２４において、ＨｅＮＢ３からターゲット（Ｈ）ｅＮＢ  ＩＤ又はターゲットセルＩＤを受信したＸ２−ＧＷは、受信されたターゲット（Ｈ）ｅＮＢ  ＩＤ又はターゲットセルＩＤを介するか、又は記憶されたマクロｅＮＢ１セルＩＤを介してターゲットセルを識別することができる。ステップＳ５２５において、Ｘ２−ＧＷは、ＨｅＮＢ３に関する情報を隣接セル情報として有するＸ２接続応答メッセージをマクロｅＮＢ１に伝送する。
【０１１５】
図１６は、本発明の一実施形態によって第１のシナリオのためのＳＣＴＰ接続及びＸ２インタフェースを設定する方法の更に他の例を示す。図１６の実施形態において、マクロｅＮＢ１とＸ２−ＧＷとの間のＳＣＴＰ接続だけが設定されたと仮定し、ＨｅＮＢ３とＸ２−ＧＷとの間のＳＣＴＰ接続及びＸ２インタフェースは設定されたと仮定する。
【０１１６】
図１６に示すように、マクロｅＮＢ１がＸ２−ＧＷのＴＮＬアドレスを取得した後（例えば、図８の実施形態によって）、マクロｅＮＢ１は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。ターゲット（Ｈ）ｅＮＢ  ＩＤ又はターゲットセルＩＤを受信したＸ２−ＧＷは、ＨｅＮＢ３にｅＮＢ構成更新メッセージを伝送することによって、受信されたターゲット（Ｈ）ｅＮＢ  ＩＤ又はターゲットセルＩＤを基盤としてＨｅＮＢ３に向かってｅＮＢ構成更新を初期化する。
【０１１７】
以上において、実施形態でＸ２接続要求メッセージ及び／又はｅＮＢ構成更新メッセージがターゲットセル情報を含むものと説明された。しかし、本発明はこれに制限されない。例えば、ＵＥがハンドオーバを行うとき、ハンドオーバ要求メッセージがターゲットセル情報を含むことができる。
【０１１８】
図１７は、本発明の一実施形態が適用され得る第２のシナリオを示す。第２のシナリオで、ＨｅＮＢ３セルに位置するＵＥ２がマクロｅＮＢ１を発見し、これをＨｅＮＢ３に報告する。ＨｅＮＢ３は、マクロｅＮＢ１に向かってＴＮＬアドレス探索手順を初期化する。マクロｅＮＢ１は、自分のＴＮＬアドレス又はＸ２−ＧＷのＴＮＬアドレスをＭＭＥとＨｅＮＢ  ＧＷを経てＨｅＮＢ３に応答する。
【０１１９】
図１８は、本発明の一実施形態によって第２のシナリオのためのＳＣＴＰ接続及びＸ２インタフェースを設定する方法の一例を示す。図１８の実施形態において、ＨｅＮＢ３とＸ２−ＧＷとの間のＳＣＴＰ接続だけが設定されたと仮定し、マクロｅＮＢ１とＸ２−ＧＷとの間のＳＣＴＰ接続及びＸ２インタフェースは設定されたと仮定する。
【０１２０】
図１８に示すように、ＨｅＮＢ３がＸ２−ＧＷのＴＮＬアドレス又はマクロｅＮＢ１のＴＮＬアドレスを取得した後（例えば、図１７の実施形態によって）、ＨｅＮＢ３は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。表１において説明されたＸ２接続要求メッセージが使用され得る。ターゲット（Ｈ）ｅＮＢ  ＩＤ又はターゲットセルＩＤを受信したＸ２−ＧＷは、マクロｅＮＢ１にｅＮＢ構成更新メッセージを伝送することによって、受信されたターゲット（Ｈ）ｅＮＢ  ＩＤ又はターゲットセルＩＤを基盤としてマクロｅＮＢ１に向かってｅＮＢ構成更新を初期化する。また、Ｘ２−ＧＷは、Ｘ２接続要求メッセージに対する応答としてＨｅＮＢ３にＸ２接続応答メッセージを伝送する。
【０１２１】
図１９は、本発明の一実施形態によって第２のシナリオのためのＳＣＴＰ接続及びＸ２インタフェースを設定する方法の更に他の例を示す。図１９の実施形態において、ＨｅＮＢ３とＸ２−ＧＷとの間のＳＣＴＰ接続だけが設定されたと仮定し、マクロｅＮＢ１とＸ２−ＧＷとの間のＳＣＴＰ接続だけが設定されたと仮定する。
【０１２２】
図１９に示すように、ＨｅＮＢ３がＸ２−ＧＷのＴＮＬアドレス又はマクロｅＮＢ１のＴＮＬアドレスを取得した後（例えば、図１７の実施形態によって）、ＨｅＮＢ３は、Ｘ２接続要求メッセージを伝送することによってＸ２インタフェース設定を初期化する。Ｘ２接続要求メッセージは、ターゲット（Ｈ）ｅＮＢ  ＩＤ、ターゲットセルＩＤ、又はターゲットＲＮＬ  ＩＤなどのターゲットノードに関する情報を含むことができる。表１において説明されたＸ２接続要求メッセージが使用され得る。ターゲット（Ｈ）ｅＮＢ  ＩＤ又はターゲットセルＩＤを受信したＸ２−ＧＷは、マクロｅＮＢ１にＸ２接続要求メッセージを伝送することによって、受信されたターゲット（Ｈ）ｅＮＢ  ＩＤ又はターゲットセルＩＤを基盤としてマクロｅＮＢ１に向かってＸ２インタフェース設定を初期化する。マクロｅＮＢ１は、Ｘ２接続要求メッセージに対する応答としてＸ２−ＧＷにターゲットセルＩＤとともにＸ２接続応答メッセージを伝送する。また、Ｘ２−ＧＷは、Ｘ２接続要求メッセージに対する応答としてＨｅＮＢ３にＸ２接続応答メッセージを伝送する。
【０１２３】
図２０は、本発明の一実施形態によって第２のシナリオのためのＳＣＴＰ接続及びＸ２インタフェースを設定する方法の更に他の例を示す。図２０の実施形態において、ＨｅＮＢ３とＸ２−ＧＷとの間のＳＣＴＰ接続及びＸ２インタフェースは設定されたと仮定し、マクロｅＮＢ１とＸ２−ＧＷとの間のＳＣＴＰ接続だけが設定されたと仮定する。
【０１２４】
図２０に示すように、ＨｅＮＢ３がＸ２−ＧＷのＴＮＬアドレス又はマクロｅＮＢ１のＴＮＬアドレスを取得した後（例えば、図１７の実施形態によって）、ＨｅＮＢ３は、ｅＮＢ構成更新メッセージを伝送することによってｅＮＢ構成更新を初期化する。ｅＮＢ構成更新メッセージは、ターゲット（Ｈ）ｅＮＢ  ＩＤ、ターゲットセルＩＤ、又はターゲットＲＮＬ  ＩＤなどのターゲットノードに関する情報を含むことができる。表２において説明されたｅＮＢ構成更新メッセージが使用され得る。ターゲット（Ｈ）ｅＮＢ  ＩＤ又はターゲットセルＩＤを受信したＸ２−ＧＷは、マクロｅＮＢ１にＸ２接続要求メッセージを伝送することによって、受信されたターゲット（Ｈ）ｅＮＢ  ＩＤ又はターゲットセルＩＤを基盤としてマクロｅＮＢ１に向かってＸ２インタフェース設定を初期化する。マクロｅＮＢ１は、Ｘ２接続要求メッセージに対する応答としてＸ２−ＧＷにターゲットセルＩＤとともにＸ２接続応答メッセージを伝送する。また、Ｘ２−ＧＷは、ＨｅＮＢ３にｅＮＢ構成更新メッセージを伝送する。
【０１２５】
図２１は、本発明の実施形態が実現される無線通信システムのブロック図である。
【０１２６】
ｅＮＢ又はＨｅＮＢ８００は、プロセッサ８１０、メモリ８２０、及び無線周波（ＲＦ）部８３０を備える。プロセッサ８１０は、本明細書で提案された機能、過程、及び／又は方法を実現するように構成され得る。無線インタフェースプロトコルの階層等は、プロセッサ８１０によって実現することができる。メモリ８２０は、プロセッサ８１０と接続されて、プロセッサ８１０を駆動するための様々な情報を記憶する。ＲＦ部８３０は、プロセッサ８１０と接続されて、無線信号を伝送及び／又は受信する。
【０１２７】
Ｘ２−ＧＷ９００は、プロセッサ９１０、メモリ９２０、及びＲＦ部９３０を備えることができる。プロセッサ９１０は、本明細書で提案された機能、過程及び／又は方法を実現するように構成することができる。無線インタフェースプロトコルの階層は、プロセッサ９１０によって実現することができる。メモリ９２０は、プロセッサ９１０と接続されて、プロセッサ９１０を駆動するための様々な情報を記憶する。ＲＦ部９３０は、プロセッサ９１０と接続されて、無線信号を伝送及び／又は受信する。
【０１２８】
プロセッサ８１０、９１０は、特定用途集積回路（ＡＳＩＣ）、他のチップセット、論理回路、及び／又はデータ処理装置を備えることができる。メモリ８２０、９２０は、ＲＯＭ、ＲＡＭ、フラッシュメモリ、メモリカード、記憶媒体、及び／又は他の記憶装置を備えることができる。ＲＦ部８３０、９３０は、ＲＦ信号を処理するためのベースバンド回路を含むことができる。実施形態がソフトウェアで実現されるとき、上述した技法は、上述した機能を行うモジュール（過程、機能など）で実現することができる。モジュールは、メモリ８２０、９２０に記憶され、プロセッサ８１０、９１０によって実行することができる。メモリ８２０、９２０は、プロセッサ８１０、９１０の内部又は外部にありうるし、よく知られた様々な手段でプロセッサ８１０、９１０と接続され得る。
【０１２９】
上述した例示的なシステムにおいて、上述した本発明の特徴によって実現され得る方法は、順序図に基づいて説明された。便宜上、方法は一連のステップ又はブロックとして説明されたが、請求された本発明の特徴は、ステップ又はブロックの順序に限定されるものではなく、あるステップは他のステップと上述したところとは異なる順序で又は同時に発生することができる。また、当業者であれば、順序図に示したステップが排他的でなく、他のステップを含んだり、順序図の一つ又はそれ以上のステップが本発明の範囲に影響を及ぼさずに削除したりできることが理解できるであろう。
【図１】
2015524232.tif 000005
【図２】
2015524232.tif 000006
【図３（ａ）】
2015524232.tif 000007
【図３（ｂ）】
2015524232.tif 000008
【図４】
2015524232.tif 000009
【図５】
2015524232.tif 000010
【図６】
2015524232.tif 000011
【図７】
2015524232.tif 000012
【図８】
2015524232.tif 000013
【図９】
2015524232.tif 000014
【図１０】
2015524232.tif 000015
【図１１】
2015524232.tif 000016
【図１２】
2015524232.tif 000017
【図１３】
2015524232.tif 000018
【図１４】
2015524232.tif 000019
【図１５】
2015524232.tif 000020
【図１６】
2015524232.tif 000021
【図１７】
2015524232.tif 000022
【図１８】
2015524232.tif 000023
【図１９】
2015524232.tif 000024
【図２０】
2015524232.tif 000025
【図２１】
2015524232.tif 000026
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
無線通信システムにおいて、ゲートウェイがＸ２メッセージを処理する方法であって、
前記ゲートウェイが、第１ｅノードＢ（ｅＮＢ）からＸ２設定要求メッセージ及びターゲット情報を受信するステップと、
前記ゲートウェイが、前記の受信したターゲット情報に基づいて、前記の受信したＸ２設定要求メッセージを第２ｅＮＢに送信するステップと、
前記ゲートウェイが、前記第２ｅＮＢからＸ２設定応答メッセージを受信するステップと、
前記ゲートウェイが、前記の受信したＸ２設定応答メッセージを前記第１ｅＮＢに送信するステップと、を有し、
前記ターゲット情報は、前記Ｘ２設定要求メッセージの追加情報である、方法。
【請求項２】
前記ターゲット情報は、ターゲットｅＮＢ識別子を含む、請求項１に記載の方法。
【請求項３】
前記第１ｅＮＢ又は前記第２ｅＮＢの少なくとも一つはホームｅＮＢ（ＨｅＮＢ）であり、
前記ゲートウェイは移動性管理エンティティ（ＭＭＥ）と接続していないＸ２ゲートウェイである、請求項１に記載の方法。
【請求項４】
無線通信システムにおいて、第１ｅノードＢ（ｅＮＢ）がＸ２メッセージを送信する方法であって、
前記第１ｅＮＢが、Ｘ２設定要求メッセージ及びターゲット情報を生成するステップと、
前記第１ｅＮＢが、前記の生成したＸ２設定要求メッセージ及び前記の生成したターゲット情報をゲートウェイに送信するステップと、を有し、
前記ターゲット情報は、前記Ｘ２メッセージを前記ゲートウェイを介して第２ｅＮＢに送信するためのものであり、
前記ターゲット情報は、前記Ｘ２設定要求メッセージの追加情報である、方法。
【請求項５】
前記第１ｅＮＢが、前記ゲートウェイを通じて前記第２ｅＮＢから、Ｘ２設定応答メッセージを受信するステップを更に有する、請求項４に記載の方法。
【請求項６】
前記ターゲット情報は、ターゲットｅＮＢ識別子を含む、請求項４に記載の方法。
【請求項７】
前記第１ｅＮＢ又は前記第２ｅＮＢの少なくとも一つはホームｅＮＢ（ＨｅＮＢ）であり、
前記ゲートウェイは、移動性管理エンティティ（ＭＭＥ）と接続していないＸ２ゲートウェイである、請求項４に記載の方法。
【国際調査報告】
2015524232.tif 000027
2015524232.tif 000028